(57)【要約】【課題】  設置が容易なガス検知システムを提供する。【解決手段】  屋内廃棄物処分場のガスを採取するガス採取手段２０と、ガス採取手段２０を、水平面内を移動可能に支持する水平移動手段２と、水平移動手段２に設けられ、ガス採取手段２０を上下方向に移動させる上下移動手段８と、水平移動手段２に設けられ、ガス採取手段２０が上方に移動することにより、ガス採取手段２０と接続された状態でガス採取手段２０が採取したガスを回収して検知し、該検知結果を示すデータを送信するガス検知手段１５と、ガス検知手段１５から送信されたデータを受信する管理手段３５とを備えている。【選択図】  図１
2011232091.tif 000002
【特許請求の範囲】
【請求項１】
屋内廃棄物処分場のガス検知システムであって、
前記屋内廃棄物処分場内のガスを採取するガス採取手段と、
該ガス採取手段を上下方向に移動させる上下移動手段と、
前記上下移動手段を水平面内を移動可能に支持する水平移動手段と、
前記水平移動手段に設けられ、上方に移動した前記ガス採取手段と接続された状態で前記ガス採取手段が採取したガスを回収して検知し、該検知結果を示すデータを送信するガス検知手段と、
前記ガス検知手段から送信されたデータを受信する管理手段とを備えていることを特徴とする屋内廃棄物処分場のガス検知システム。
【請求項２】
屋内廃棄物処分場のガス検知システムであって、
前記屋内廃棄物処分場内を遠隔操作により飛行可能な飛行体と、
該飛行体に設けられるとともに、前記屋内廃棄物処分場内のガスを採取するガス採取手段と、
前記屋内廃棄物処分場内又は前記屋内廃棄物処分場外に設けられるとともに、前記ガス採取手段と接続された状態で前記ガス採取手段が採取したガスを回収して検知し、該検知結果を示すデータを送信するガス検知手段と、
前記ガス検知手段から送信されたデータを受信する管理手段とを備えていることを特徴とする屋内廃棄物処分場のガス検知システム。
【請求項３】
前記ガス採取手段は、内部にガスの貯留室を有するとともに、該貯留室の内外を連通するガスの流入口と流出口とを有する容器と、前記流入口及び前記流出口に設けられる弁とを備え、
前記ガス検知手段は、前記ガス手段が採取したガスを回収し、該回収したガスの種類及びその濃度を検知するとともに、ガスの流入口と流出口とを有する検知部と、該検知部が検知した検知結果を示すデータを送信する送信部とを備え、
前記ガス採取手段の前記流出口と前記ガス検知手段の前記流入口とが相互に接続、分離可能に構成されていることを特徴とする請求項１又は２に記載の屋内廃棄物処分場のガス検知システム。
【請求項４】
前記ガス採取手段を前記ガス検知手段に向けて所定位置まで移動させることにより、前記ガス採取手段が前記ガス検知手段に接続され、前記ガス採取手段を前記ガス検知手段から離間する方向に移動させることにより、前記ガス採取手段が前記ガス検知手段から分離されることを特徴とする請求項３に記載の屋内廃棄物処分場のガス検知システム。
【請求項５】
前記ガス採取手段は、前記流入口を介して前記容器の前記貯留室内にガスを吸引するポンプを備えていることを特徴とする請求項３に記載の屋内廃棄物処分場のガス検知システム。
【発明の詳細な説明】
【技術分野】
【０００１】
本発明は、屋内廃棄物処分場のガス検知システムに関する。
【背景技術】
【０００２】
近年、廃棄物処分場の廃棄物から発生するガスによって周辺の環境が汚染されるのを防止するため、建屋内に廃棄物を貯留する処分ピットを設けた閉鎖式廃棄物処分場（屋内廃棄物処分場）が建設されている。
【０００３】
屋内廃棄物処分場は、建屋内に設けた処分ピット内に廃棄物を貯留しているため、廃棄物から発生するガスが周辺に拡散して周辺環境を汚染するおそれはない。しかし、建屋内で各種の作業を行う作業者が危険に晒されることがないようにするため、廃棄物から発生するガスの種類及びその濃度を検知し、その検知したデータに基づいて、適切な対策（警報を発する、換気装置を作動させる等の対策）を採り、作業者の安全を確保する必要がある。
【０００４】
特許文献１には、屋内廃棄物処分場の廃棄物から発生するガスの種類及びその濃度を検知するガス検知システムの一例が記載されている。
このガス検知システムは、建屋内の天井部の中央部及び両側部に巻き取り装置を垂直方向及び水平方向に移動可能に設け、建屋内の天井部及び壁部に沿ってガスサンプリング管を設置し、このガスサンプリング管を巻き取り装置によって支持して垂直方向及び水平方向に移動可能とし、ガスサンプリング管の一端の吸引口を廃棄物に対向させ、他端を建屋外に引き出して、建屋と別棟のモニタリング室内に設置した吸引用ポンプに接続したものである。
【０００５】
このような構成のガス検知システムにあっては、ポンプを作動させて、ガスサンプリング管の一端の吸引口を介してガスを吸引し、このガスをガスサンプリング管を介してモニタリング室内のガス検知器に導き、ガス検知器のセンサでガスの種類及びその濃度を検知し、この検知結果を示したデータをモニタリング室内の制御部に送り、取得したデータに基づいて制御部を通じて警報を発する等の対策を実行することにより、作業者の安全を確保することができる。
【先行技術文献】
【特許文献】
【０００６】
【特許文献１】特開２００５−１８６０２４号公報
【発明の概要】
【発明が解決しようとする課題】
【０００７】
ところで、特許文献１に記載のガス検知システムにあっては、ガスサンプリング管の全長が非常に長いため、発生するガスの種類及びその濃度を検知し、その検知結果に基づいて警報を発する等の対策を採るまでに時間がかかり、作業者の安全を確保することが困難になることがある。
【０００８】
また、ガスサンプリング管の設置に非常に手間がかかる上、ガスサンプリング管の内部に粉塵等が溜り易く、その粉塵等を取り除くためのメンテナンスが必要になり、その作業に手間がかかる。
【０００９】
しかも、巻き取り装置からガスサンプリング管を繰り出し、又は巻き取る際に、ガスサンプリング管が錯綜するおそれがあり、ガスサンプリング管が破損する等のトラブルが発生することがある。
【００１０】
さらに、ガスサンプリング管の全長が長いため、ガスを吸い込む際に大きな負圧が生じてガスサンプリング管が変形し、ガスの吸い込みが困難になる。また、ガスサンプリング管が変形した状態で巻き取り装置に巻き取られるため、更にガスの吸引が困難になる。
【００１１】
本発明は、上記のような従来の問題に鑑みなされたものであって、ガスサンプリング管を用いることなく、発生するガスの種類及びその濃度の検知を行えるとともに、構造が簡単でメンテナンスが容易な屋内廃棄物処分場のガス検知システムを提供することを目的とする。
【課題を解決するための手段】
【００１２】
上記のような課題を解決するために、本発明は、以下のような手段を採用している。
すなわち、本発明は、屋内廃棄物処分場のガス検知システムであって、前記屋内廃棄物処分場内のガスを採取するガス採取手段と、該ガス採取手段を上下方向に移動させる上下移動手段と、前記上下移動手段を水平面内を移動可能に支持する水平移動手段と、前記水平移動手段に設けられ、上方に移動した前記ガス採取手段と接続された状態で前記ガス採取手段が採取したガスを回収して検知し、該検知結果を示すデータを送信するガス検知手段と、前記ガス検知手段から送信されたデータを受信する管理手段とを備えていることを特徴とする。
【００１３】
本発明の屋内廃棄物処分場のガス検知システムによれば、水平移動手段及び上下移動手段によってガス採取手段を水平方向及び上下方向の任意の位置に移動させることができるので、屋内廃棄物処分場内の各部において、廃棄物から発生するガスを採取することができる。そして、上下移動手段により、ガス採取手段を上昇させて、ガス採取手段とガス検知手段とを接続された状態とし、ガス採取手段が採取したガスをガス検知手段で回収することにより、回収したガスの種類及びその濃度を検知することができ、この検知した検知結果を示すデータを管理手段に送信することができる。
このように、ガスサンプリング管を用いることなく、ガス採取手段が採取したガスをガス検知手段に導くことができるので、ガス採取手段が採取したガスをガス検知手段に導く時間を短くすることができ、ガス検知手段からの検知結果に基づいて管理手段によって警報を発する等の対策を速やかにとることができる。
また、ガスサンプリング管の全長が長いため、ガスを吸い込む際に大きな負圧が生じてガスサンプリング管が変形し、ガスの吸い込みが困難になるようなことはなく、さらに、ガスサンプリング管が変形した状態で巻き取り装置に巻き取られるため、更にガスの吸引が困難になるようなことはなく、発生するガスを確実に採取して、そのガスの種類および濃度を検知することができる。
【００１４】
また、本発明は、屋内廃棄物処分場のガス検知システムであって、前記屋内廃棄物処分場内を遠隔操作により飛行可能な飛行体と、該飛行体に設けられるとともに、前記屋内廃棄物処分場内のガスを採取するガス採取手段と、前記屋内廃棄物処分場内又は前記屋内廃棄物処分場外に設けられるとともに、前記ガス採取手段と接続された状態で前記ガス採取手段が採取したガスを回収して検知し、該検知結果を示すデータを送信するガス検知手段と、前記ガス検知手段から送信されたデータを受信する管理手段とを備えていることを特徴とする。
【００１５】
本発明の屋内廃棄物処分場のガス検知システムによれば、ガス検知手段を屋内廃棄物処分場内又は屋内廃棄物処分場外の任意の位置に設置することができるので、設計の自由度の幅を広げることができる。また、遠隔操作によって飛行体を飛行させることにより、ガス採取手段を任意の位置に位置決めすることができるので、ガス採取手段の任意の位置への位置決めに複雑な機構を要する必要がなく、設備費を大幅に削減することができる。
【００１６】
さらに、本発明において、前記ガス採取手段は、内部にガスの貯留室を有するとともに、該貯留室の内外を連通するガスの流入口と流出口とを有する容器と、前記流入口及び前記流出口に設けられる弁とを備え、前記ガス検知手段は、前記ガス手段が採取したガスを回収し、該回収したガスの種類及びその濃度を検知するとともに、ガスの流入口と流出口とを有する検知部と、該検知部が検知した検知結果を示すデータを送信する送信部とを備え、前記ガス採取手段の前記流出口と前記ガス検知手段の前記流入口とが相互に接続、分離可能に構成されていることを特徴とする。
【００１７】
本発明の屋内廃棄物処分場のガス検知システムによれば、ガス採取手段の流出口とガス検知手段の流入口とを相互に接続することにより、ガス採取手段が採取したガスをガス検知手段で回収し、検知することができる。従って、ガスサンプリング管を使用したものに比べて、ガスを採取してから検知するまでの時間を短くすることができるので、ガスの検知結果に基づいた適切な対策を速やかにとることができる。
【００１８】
さらに、本発明において、前記ガス採取手段を前記ガス検知手段に向けて所定位置まで移動させることにより、前記ガス採取手段が前記ガス検知手段に接続され、前記ガス採取手段を前記ガス検知手段から離間する方向に移動させることにより、前記ガス採取手段が前記ガス検知手段から分離されることとしてもよい。
【００１９】
本発明の屋内廃棄物処分場のガス検知システムによれば、ガス採取手段をガス検知手段に向けて所定位置まで移動させることにより、ガス採取手段がガス検知手段に接続されて、ガス採取手段で採取したガスがガス検知手段に回収されて検知され、ガス採取手段をガス検知手段から離間する方向に移動させることにより、ガス採取手段がガス検知手段から分離されることになる。
【００２０】
さらに、本発明において、前記ガス採取手段は、前記流入口を介して前記容器の前記貯留室内にガスを吸引するポンプを備えていることとしてもよい。
【００２１】
本発明の屋内廃棄物処分場のガス検知システムによれば、ポンプを作動させることにより、流入口を介して容器の貯留室内にガスを吸引することができるので、各種のガスを容器の貯留室内に確実に吸引して貯留させることができる。
【発明の効果】
【００２２】
以上、説明したように、本発明の屋内廃棄物処分場のガス検知システムによれば、屋内廃棄物処分場内の各部において、ガス採取手段によって廃棄物から発生するガスを採取し、このガス採取手段とガス検知手段とを接続することにより、ガス採取手段で採取したガスをガス検知手段で回収し、回収したガスの種類及びその濃度を検知することができ、この検知結果を示すデータを管理手段に送信することができる。従って、ガス採取手段が採取したガスをガス検知手段に導くまでの時間を短くすることができ、ガスの検知結果に基づいて、管理手段により警報を発する等の対策を速やかにとることができる。
また、ガスサンプリング管の全長が長いため、ガスを吸い込む際に大きな負圧が生じてガスサンプリング管が変形し、ガスの吸い込みが困難になるようなことはなく、さらに、ガスサンプリング管が変形した状態で巻き取り装置に巻き取られるため、更にガスの吸引が困難になるようなことはなく、発生するガスを確実に採取して、そのガスの種類および濃度を検知することができる。
さらに、ガス採取手段を飛行体に取り付けた場合には、ガス検知手段を屋内廃棄物処分場内又は屋内廃棄物処分場外の任意の位置に設置することができるので、設計の自由度の幅を広げることができる。
【図面の簡単な説明】
【００２３】
【図１】本発明による屋内廃棄物処分場のガス検知システムの第１の実施の形態を示した概略図である。
【図２】図１のガス採取手段とガス検知手段と接続手段との関係を示した説明図である。
【図３】本発明による屋内廃棄物処分場のガス検知システムの第２の実施の形態を示した概略図である。
【発明を実施するための形態】
【００２４】
以下、図面を参照しながら本発明の実施の形態について説明する。
図１及び図２には、本発明による屋内廃棄物処分場のガス検知システムの第１の実施の形態が示されている。本実施の形態の屋内廃棄物処分場のガス検知システム１は、地表面に開口する平面視矩形状の処分ピット４２と、処分ピット４２の上部開口を覆う建屋４１とを備えた屋内廃棄物処分場４０に適用したものである。
【００２５】
すなわち、本実施の形態の屋内廃棄物処分場のガス検知システム１は、建屋４１の内部における処分ピット４２の上方に、水平方向の直交する２方向に移動可能に設けられる水平移動手段２と、水平移動手段２に設けられ、後述するガス採取手段２０を上下方向に移動させることが可能な上下移動手段８と、水平移動手段２に設けられ、水平移動手段２と一体に移動可能なガス検知手段１５と、上下移動手段８に取り付けられ、上下移動手段８によって上下方向に移動可能なガス採取手段２０と、ガス検知手段１５とガス採取手段２０とを接続、分離する接続手段３０と、処分ピット４２外に設けられる管理手段３５とを備えている。
【００２６】
水平移動手段２は、例えば、天井クレーン３であって、建屋４１の天井部の両側に設けられるレール４、４と、両レール４、４上に走行可能に架設されるガータ５と、ガータ５の上部に長手方向に移動可能に設けられるトロリ６とを備えている。
【００２７】
トロリ６は、ガータ５の上部に長手方向に敷設されたレール（図示せず）上に移動可能に搭載される台車７と、台車７をレールに沿って移動させる駆動源（図示せず）とを備え、台車７の上部に上下移動手段８及びガス検知手段１５が設けられている。ガータ５をレール４、４に沿って移動させるとともに、トロリ６をガータ５に沿って移動させることにより、トロリ６を処分ピット４２の上方の水平面内を任意の方向に移動させることができる。
【００２８】
上下移動手段８は、トロリ６の台車７に設けられるウインチ９と、ウインチ９の駆動源（図示せず）と、ウインチ９に繰り出し、巻き取り可能に巻回されるワイヤ１０とを備えている。上下移動手段８のワイヤ１０の先端には、支持フレーム１１が取り付けられ、支持フレーム１１には、廃棄物搬入用のバケット１２と、バケット１２の開閉用の駆動源（図示せず）と、ガス採取手段２０とが取り付けられている。
【００２９】
上下移動手段８のウインチ９の駆動源を駆動させて、ウインチ９からワイヤ１０を繰り出し、又は巻き取ることによりバケット１２が上下方向に移動し、バケット１２に追従してガス採取手段２０が上下方向に移動する。
【００３０】
ウインチ９の駆動源には、ウインチ９の回転位置を検知するロータリーエンコーダ等の位置検知手段（図示せず）が設けられ、この位置検知手段によって検知したウインチ９の回転位置に応じて、ウインチ９から繰り出され、又は巻き取られるワイヤ１０の先端に支持フレーム１１を介して取り付けられたガス採取手段２０によるガスの採取位置が検知される。
【００３１】
ガス検知手段１５は、図２に示すように、ガスの種類及びその濃度を検知する複数のセンサ１８を有する検知部１７と、検知部１７が検知した検知データを送信する送信部１９とを備え、検知部１７には、ガスの流入口１７ａと流出口１７ｂとが設けられ、流入口１７ａに接続手段３０が設けられている。
【００３２】
ガス検知手段１５による検知結果を示すデータ（以下、「ガス検知データ」という。）、及び位置検知手段により検知したガスの採取位置を示すデータ（以下、「ガス採取位置データ」という。）は、ガス検知手段１５の送信部１９から無線によって管理手段３５に送信される。
【００３３】
なお、本実施の形態においては、ガス検知手段１５の検知部１７に、７種類のガス（メタンガス、水素ガス、硫化水素ガス、酸素ガス、一酸化炭素ガス、二酸化炭素ガス、アンモニアガス）及びその濃度を検知するセンサ１８を設けている。
【００３４】
ガス採取手段２０は、図２に示すように、内部にガスを貯留させる貯留室２２を有する容器２１と、容器２１内にガスを吸引するポンプ２５とを備えている。容器２１の下端には、貯留室２２の内外を連通するガスの流入口２３が設けられ、上端には、貯留室２２の内外を連通するガスの流出口２４が設けられている。ポンプ２５は、容器２１の流出口２４側に設けられ、流入口２３を介して容器２１の貯留室２２内にガスを吸引する。さらに、ガス採取手段２０は、流入口２３を開閉する第１開閉弁２６と、流出口２４を開閉する第２開閉弁２７とを備え、容器２１の流出口２４に接続手段３０が設けられている。
【００３５】
ガス採取手段２０は、流入口２３及び流出口２４が鉛直方向を向くように、容器２１がボルト等の取付手段を介して支持フレーム１１に取り付けられ、上下移動手段８のウインチ９の駆動により、支持フレーム１１と一体に上下移動する。
【００３６】
容器２１の形状、材質は、特に、制限はなく、合成樹脂製、金属製等の各種の形状のものを用いることができる。また、容器２１は、剛性を有するものに限らず、風船等のようにフレキシブルのものであってもよい。また、円筒状のものを容器２１として用い、一方の開口を流入口とし、他方の開口を流出口とし、流入口及び流出口を蓋で開閉させるように構成してもよい。このような構成のものを容器２１として用いることにより、上記の第１開閉弁２６及び第２開閉弁２７が不要となるので、容器２１の構成を簡素化することができる。
【００３７】
第１開閉弁２６及び第２開閉弁２７は、例えば、電磁弁であって、第１開閉弁２６を「開」、第２開閉弁２７を「閉」とした状態で、ポンプ２５を作動させることにより、流入口２３から容器２１の貯留室２２内にガスが吸引され、貯留室２２内に所定量のガスが貯留される。なお、第１開閉弁２６、及び第２開閉弁２７は、遠隔操作によって作動が制御されている。
【００３８】
また、第１開閉弁２６を「閉」、第２開閉弁２７を「開」とすることにより、容器２１の貯留室２２内のガスが流出口２４から流出する。この場合、必要に応じて、ポンプ２５を作動させることにより、容器２１の貯留室２２内からガスを強制的に流出させてもよい。
【００３９】
なお、本実施の形態においては、第１開閉弁２６及び第２開閉弁２７に、流入口２３及び流出口２４を開閉する電磁弁を用いているが、電磁弁の代わりに逆止弁を用い、流入口２３及び流出口２４にそれぞれ逆止弁を設け、流入口２３側の逆止弁で外部から貯留室２２内へのガスの流入のみを許容し、流出口２４側の逆止弁で貯留室２２から流出口２４を介して外部へのガスの流出のみを許容するように構成してもよい。
【００４０】
接続手段３０は、例えば、雄継手３２と、雄継手３２と相互に接続、分離可能な雌継手３３とからなる管継手３１であって、本実施の形態においては、ガス採取手段２０の容器２１の流出口２４に雄継手３２を設け、ガス検知手段１５の検知部１７の流入口１７ａに雌継手３３を設けている。接続手段３０の雄継手３２と雌継手３３とを相互に接続することにより、ガス採取手段２０の容器２１の流出口２４とガス検知手段１５の検知部１７の流入口１７ａとが連通し、容器２１の貯留室２２内に貯留されたガスが検知部１７に供給される。
【００４１】
なお、ガス採取手段２０の容器２１の流出口２４に雌継手３３を設け、ガス検知手段１５の検知部１７の流入口１７ａに雄継手３２を設けてもよい。また、管継手３１の雄継手３２と雌継手３３とは、手動によって相互に接続、分離させるように構成してもよいし、ガス採取手段２０を上昇させたときに、管継手３１の雄継手３２と雌継手３３とが自動的に接続され、下降させたときに自動的に分離されるように構成してもよい。
【００４２】
管理手段３５は、処分ピット４２の外部に設けられ、ガス検知手段１５の送信部１９から無線によって送信されたガス検知データ及びガス採取手段２０のガス採取位置データを受信する受信部３６と、受信部３６が受信したガス検知データ及びガス採取位置データを出力する制御部３７とを備えている。
【００４３】
管理手段３５は、受信部３６を建屋４１の壁面に設け、制御部３７を建屋４１の外部に設置した管理室（図示せず）内に設けるように構成してもよいし、受信部３６及び制御部３７を共に管理室内に設けるように構成してもよい。
【００４４】
管理手段３５の受信部３６で受信したガス検知データ及びガス採取位置データは、制御部３７によって管理室内に設置されているモニター等の表示手段に出力される。また、制御部３７によって出力されたガス検知データ及びガス採取位置データに基づいて、適切な対策（警報器の作動、換気装置の作動等）が採られる。
【００４５】
上記のような構成の本実施の形態の屋内廃棄物処分場のガス検知システム１によって処分ピット４２の各部のガスの種類及びその濃度を検知するには、水平移動手段２のガータ５をレール４、４に沿って水平方向に移動させるとともに、トロリ６をガータ５に沿ってガータ５の移動方向と直交する水平方向に移動させ、上下移動手段８のウインチ９を駆動させて、ウインチ９からワイヤ１０を繰り出し、又は巻き取ることにより、支持フレーム１１及びバケット１２と一体にガス採取手段２０を水平方向及び上下方向の任意の位置に移動させる。
【００４６】
そして、その位置において、ガス採取手段２０の第１開閉弁２６を開き、第２開閉弁２７を閉じ、この状態でポンプ２５を作動させることにより、第１開閉弁２６及び流入口２３を介して容器２１の貯留室２２内にガスを吸引した後、ポンプ２５の作動を停止させて第１開閉弁２６を閉じることにより、容器２１の貯留室２２内に所定量のガスを貯留させる。
【００４７】
そして、この状態でウインチ９を駆動させてワイヤ１０を巻き上げることにより、バケット１２と一体にガス採取手段２０を上昇させ、ガス採取手段２０の雄継手３２を、ガス検知手段１５の雌継手３３に接続し、第２開閉弁２７を開くことにより、ガス採取手段２０の容器２１の貯留室２２内に貯留されているガスを流出口２４及び第２開閉弁２７を介してガス検知手段１５の検知部１７に導き、検知部１７に回収する。
【００４８】
そして、検知部１７に回収したガスの種類及びその濃度を検知部１７内のセンサ１８によって検知し、その検知データ及びガス採取位置データを送信部１９から無線によって管理手段３５の受信部３６に送信し、受信部３６で受信したガス検知データ及びガス採取位置データを制御部３７を介して管理室内のモニター等の表示手段に出力する。また、制御部３７によって出力されたガス検知データ及びガス採取位置データに基づいて、適切な対策（警報器の作動、換気装置の作動等）を採る。
【００４９】
上記のように構成した本実施の形態の屋内廃棄物処分場のガス検知システム１にあっては、処分ピット４２の各部のガスを採取する場合に、ガス採取手段２０を、水平移動手段２及び上下移動手段８によって水平方向及び上下方向の任意の位置に移動させることにより、処分ピット４２内の各部において、廃棄物から発生するガスの種類及びその濃度を検知することができるとともに、ガスの採取位置データも同時に取得することができる。
【００５０】
従って、得られたガス検知データ及びガス採取位置データに基づいて、各位置に存在するガスの種類とその濃度を把握できるので、得られたデータが、屋内廃棄物処分場４０内で各種の作業を行う作業者に影響を与えるような場合に、適切な対策（警報器の作動、換気装置の作動等）を早急に採ることができ、屋内廃棄物処分場４０内で各種の作業を行う作業者の安全を確保することができる。
【００５１】
また、ガス採取手段２０をガス検知手段１５から独立させ、ガス採取手段２０でガスを採取した後に、ガス採取手段２０の容器２１とガス検知手段１５の検知部１７とを管継手３１の雄継手３２と雌継手３３とを介して接続することにより、採取したガスをガス検知手段１５の検知部１７に回収することができる。このため、採取してからガス検知手段１５の検知部１７に導くまでの時間を短くすることができるので、警報等を速やかに発して作業者の安全を確保することができる。
【００５２】
また、ガスサンプリング管を用いたガス検知システムのように、ガスサンプリング管を建屋４１内の天井部及び壁部に沿うように這わせる必要はなく、また、取り回しが複雑になるようなこともないので、設置に要する時間、手間、及び費用を大幅に削減することができる。
【００５３】
さらに、ガスサンプリング管を用いたガス検知システムのように、ガスサンプリング管の内部に溜った粉塵等を取り除く等のメンテナンスが不要であるため、メンテナンスが容易となる。
【００５４】
さらに、液体を使用するタイプのガス検知器１６の場合には、振動によって検知精度が影響を受けることになるが、本実施の形態のガス検知システム１は、ガス検知手段１５をトロリ６の台車７に固定しているので、振動による影響を受けるようなことはなく、所期の検知精度が得られることになる。
【００５５】
さらに、ガスの採取にガスサンプリング管を使用していないので、ガスの採取時にガスサンプリング管が錯綜して破損等するトラブルが発生することはなく、処分ピット４２内の任意の位置のガス確実に採取し、検知することができる。
さらに、ガスサンプリング管の全長が長いため、ガスを吸い込む際に大きな負圧が生じてガスサンプリング管が変形し、ガスの吸い込みが困難になるようなことはなく、さらに、ガスサンプリング管が変形した状態で巻き取り装置に巻き取られるため、更にガスの吸引が困難になるようなことはなく、発生するガスを確実に採取して、そのガスの種類および濃度を検知することができる。
【００５６】
なお、上記の説明においては、本発明による屋内廃棄物処分場の検知システム１を、水平面上で直交する２方向に移動可能な天井クレーン３が設置された矩形状の処分ピットを備えた屋内廃棄物処分場４０に適用したが、図示はしないが、旋回式クレーンが設置された円筒状の処分ピットを備えた廃棄物処分場に本発明を適用してもよい。
【００５７】
図３には、本発明による屋内廃棄物処分場のガス検知システムの第２の実施の形態が示されている。
本実施の形態の屋内廃棄物処分場のガス検知システム１は、空中を移動可能な飛行体１３にガス採取手段２０を取り付け、遠隔操作によって飛行体１３を屋内廃棄物処分場４０内を任意の位置に移動させ、その位置において、ガス採取手段２０のポンプ２５を作動させて容器２１内にガスを採取し、ガスの採取後に、遠隔操作により飛行体１３をガス検知手段１５の位置に移動させ、ガス採取手段２０の雄継手３２とガス検知手段１５の雌継３３手とを接続させることにより、採取したガスをガス検知手段１５の検知部１７に導くように構成したものであって、その他の構成は前記第１の実施の形態に示すものと同様である。
【００５８】
飛行体１３は、空中を飛行可能なものであれば特に制限はなく、例えば、無人飛行船、気球（有限会社メイクス製）、無人飛行体（特許４３９７２６１号）、各種の無人ヘリコプター等を用いることができる。但し、可燃性ガスが発生する屋内廃棄物処分場４０においては、飛行体１３に、防爆型の飛行船、気球、ヘリコプター等を用いる必要がある。
【００５９】
そして、本実施の形態の屋内廃棄物処分場のガス検知システム１にあっても、前記第１の実施の形態に示すものと同様の作用効果を奏する他、水平移動手段２や上下移動手段８が不要になり、ガス検知手段１５を建屋４１の内部の任意の位置や、建屋４１の外部の任意の位置に設置することができるので、設計の自由度の幅を広げることができる。
【００６０】
なお、本実施の形態においては、飛行体１２の下部にガス採取手段２０を設けているが、飛行体１２の上部、斜め上部、前部、後部、又は斜め下部にガス検知手段２０を設け、建屋４１の内部の任意の位置に設置したガス検知手段１５に対して、飛行体１２を上下方向、水平方向、又は斜め上下方向に移動させることにより、飛行体１２側のガス採取手段２０をガス検知手段１５に接続し、又は分離するように構成してもよい。
【符号の説明】
【００６１】
１  屋内廃棄物処分場のガス検知システム
２  水平移動手段
３  天井クレーン
４  レール
５  ガータ
６  トロリ
７  台車
８  上下移動手段
９  ウインチ
１０  ワイヤ
１１  支持フレーム
１２  バケット
１３  飛行体
１５  ガス検知手段
１７  検知部
１７ａ  流入口
１７ｂ  流出口
１８  センサ
１９  送信部
２０  ガス採取手段
２１  容器
２２  貯留室
２３  流入口
２４  流出口
２５  ポンプ
２６  第１開閉弁
２７  第２開閉弁
３０  接続手段
３１  管継手
３２  雄継手
３３  雌継手
３５  管理手段
３６  受信部
３７  制御部
４０  屋内廃棄物処分場
４１  建屋
４２  処分ピット
４３  廃棄物
【図１】
2011232091.tif 000003
【図２】
2011232091.tif 000004
【図３】
2011232091.tif 000005